(57)【要約】【課題】  ケーブルテレビネットワークを用いた情報配信システムにおいて、ユーザが自己の有益な情報のみを閲覧可能とし、メール受信のリアルタイム性をも実現する。【解決手段】  各々の情報種別に対応する情報ＩＤ１１を記録し、受信した情報から情報種別及び情報内容を取得し、情報種別に対応する情報ＩＤ１１と情報内容１２とで構成される情報フレームを設定し、情報フレームをケーブルテレビ情報中継局３に送信する情報配信サーバと４、各々の情報ＩＤ１１に対応する情報を受信するか否かを設定するテーブル６１を備え、情報配信サーバ４から情報中継局３を介して受信した情報フレームの情報ＩＤ１１が受信可の場合には、情報フレームの情報内容をテレビ受像機１に表示または／及び蓄積し、情報フレームの情報ＩＤ１１が受信不可の場合には、情報フレームを廃棄するホームターミナル２とを備える情報配信システム。【選択図】  図１
2005311492.tif 000002
【特許請求の範囲】
【請求項１】
各々の情報種別に対応する情報ＩＤを記録し、受信した情報から情報種別及び情報内容を取得し、該情報種別に対応する情報ＩＤと前記情報内容とで構成される情報フレームを設定し、該情報フレームをケーブルテレビ情報中継局に送信する情報配信サーバと、
各々の前記情報ＩＤに対応する情報を受信するか否かを設定するテーブルを備え、前記情報配信サーバから前記ケーブルテレビ情報中継局を介して受信した前記情報フレームの情報ＩＤが受信可の場合には、該情報フレームの情報内容をテレビ受像機に表示または／及び蓄積し、前記情報フレームの情報ＩＤが受信不可の場合には、該情報フレームを廃棄するケーブルテレビホームターミナルとを備えることを特徴とするケーブルテレビネットワークを用いた情報配信システム。
【請求項２】
受信した電子メールから情報種別と、該メールの宛先と、情報内容とを取得し、該情報種別に対応する情報ＩＤと、前記メールの宛先に対応する加入者ＩＤと、前記情報内容とで構成されるメールフレームを設定し、該メールフレームを前記ケーブルテレビ情報中継局に送信する情報配信サーバと、
前記情報配信サーバから前記ケーブルテレビ情報中継局を介して受信した前記メールフレームの情報ＩＤが受信可の場合には、該メールフレームの情報内容をテレビ受像機に表示または／及び蓄積し、前記情報フレームの情報ＩＤが受信不可の場合には、該メールフレームを廃棄するケーブルテレビホームターミナルとを備えることを特徴とする請求項１に記載のケーブルテレビネットワークを用いた情報配信システム。
【請求項３】
各々の情報種別に対応する情報ＩＤを記録し、受信した情報から情報種別及び情報内容を取得し、該情報種別に対応する情報ＩＤと前記情報内容とで構成される情報フレームを設定し、該情報フレームをケーブルテレビ情報中継局に送信することを特徴とする情報配信サーバ。
【請求項４】
受信した電子メールから情報種別と、該メールの宛先と、情報内容とを取得し、該情報種別に対応する情報ＩＤと、前記メールの宛先に対応する加入者ＩＤと、前記情報内容とで構成されるメールフレームを設定し、該メールフレームを前記ケーブルテレビ情報中継局に送信することを特徴とする請求項３に記載の情報配信サーバ。
【請求項５】
前記メールフレームを前記情報フレームに優先して前記ケーブルテレビ情報中継局に配信することを特徴とする請求項４に記載の情報配信サーバ。
【請求項６】
各々の情報種別に対応する情報ＩＤに対応する情報を受信するか否かを設定するテーブルを備え、ケーブルテレビ情報中継局を介して受信した情報フレームの情報ＩＤが受信可の場合には、該情報フレームの情報内容をテレビ受像機に表示または／及び蓄積し、前記情報フレームの情報ＩＤが受信不可の場合には、該情報フレームを廃棄することを特徴とするケーブルテレビホームターミナル。
【請求項７】
前記ケーブルテレビ情報中継局を介して受信したメールフレームの情報ＩＤが受信可の場合には、該メールフレームの情報内容をテレビ受像機に表示または／及び蓄積し、前記情報フレームの情報ＩＤが受信不可の場合には、該メールフレームを廃棄することを特徴とする請求項６に記載のケーブルテレビホームターミナル。
【請求項８】
さらに、各々の前記情報ＩＤに対応する情報の蓄積メディアを設定するテーブルを備え、前記ケーブルテレビ情報中継局を介して受信した前記情報フレームの情報ＩＤに対応する蓄積メディアに情報を蓄積することを特徴とする請求項６または７に記載のケーブルテレビホームターミナル。
【請求項９】
さらに、各々の前記情報ＩＤに対応する情報をリアルタイムでテレビ受信機に表示するか、テレビ受信機に表示せずに蓄積するかを設定する表示出力情報設定テーブルを備え、前記ケーブルテレビ情報中継局を介して受信した前記情報フレームの情報ＩＤに対応する情報を該テーブルの設定に応じて表示または蓄積することを特徴とする請求項６、７または８に記載のケーブルテレビホームターミナル。
【請求項１０】
ケーブルテレビホームターミナルに予め入手を希望する情報の種類を記録し、ケーブルテレビ情報中継局を介して受信した情報が前記記録した情報の種類に該当する情報の場合には、該情報を該ケーブルテレビホームターミナルに接続されたテレビ受像機に表示または／及び蓄積することを特徴とするケーブルテレビネットワークを用いた情報配信方法。
【請求項１１】
前記ケーブルテレビ情報中継局を介して受信した情報は、ケーブルテレビネットワークを介して該ケーブルテレビ情報中継局に接続された情報配信サーバと、ネットワークを介して該情報配信サーバに接続されたパーソナルコンピュータまたは携帯電話機から配信されることを特徴とする請求項１０に記載のケーブルテレビネットワークを用いた情報配信方法。
【発明の詳細な説明】
【技術分野】
【０００１】
本発明は、ケーブルテレビネットワークを用いた情報配信システムに関し、特に、ユーザが自己の有益な情報のみを閲覧することができ、リアルタイムでメールを受信することなどを可能としたケーブルテレビネットワークを用いた情報配信システムに関する。
【背景技術】
【０００２】
ケーブルテレビネットワークを介して情報を配信するにあたって、例えば、特許文献１には、複数のサービスを提供するため、ユーザが効率的なメモリ保存様式でサービスにアクセスすることのできるケーブルテレビシステムが開示されている。このシステムは、ケーブルチャンネル、インタラクティブ番組ガイド、ペイパービュー活性化、有料テレビ放送、及び家庭テレビセットを介してのワールドワイドウェブブラウジング及び電子メール等のインタラクティブオンラインサービスを含む複数の異なるサービスを提供する。
【０００３】
また、特許文献２には、情報の発信者と、情報の利用者とを直接インターフェースし、情報の発信者は、真にその情報を必要とする人に効率よく配信することができ、情報の利用者は、真に必要な情報を効率よく収集できるようにした情報配信システムが提案されている。このシステムは、送信ユーザが送信したリリース情報を登録する配信情報登録モジュールと、受信ユーザが希望する受信条件を登録する受信条件登録モジュールと、登録されたリリース情報を登録された受信条件に基づいて、該当する受信者に、該当する配信方法を用いて、該当する受信形式で配信する配信モジュールとを備える。
【特許文献１】特表２００２−５１４８６５号公報
【特許文献２】特開２００３−２１６６３９号公報
【発明の開示】
【発明が解決しようとする課題】
【０００４】
しかし、上記従来の特許文献に記載の情報配信システムでは、ユーザの要求に関わらず情報が配信され、ユーザが不要な情報を受信したり、ユーザに有益な情報が流されている時間でなければ有益な情報を得ることができないなどの問題があった。特許文献２には、サーバに利用者情報を登録し、情報の配信要／不要を判断させる方法が提案されているが、この方法は、インターネット接続を用いたものであり、サーバとユーザの接続形態が１：１の場合に適用することができるが、ケーブルＴＶのような１：ｎの接続形態（放送型情報配信）では、全ユーザに同一の情報を提供する形式となるため、サーバ側で情報の配信要／不要を判断することは困難であるという問題があった。
【０００５】
そこで、本発明は、上記従来の技術における問題点に鑑みてなされたものであって、ユーザが自己の有益な情報のみを閲覧することができ、複数のユーザが同一のテレビを使用していてもユーザ毎の要求に対応した有益な情報のみを閲覧することも可能で、メール受信のリアルタイム性をも実現可能なケーブルテレビネットワークを用いた情報配信システムを提供することを目的とする。
【課題を解決するための手段】
【０００６】
上記目的を達成するため、本発明は、ケーブルテレビネットワークを用いた情報配信システムであって、各々の情報種別に対応する情報ＩＤを記録し、受信した情報から情報種別及び情報内容を取得し、該情報種別に対応する情報ＩＤと前記情報内容とで構成される情報フレームを設定し、該情報フレームをケーブルテレビ情報中継局に送信する情報配信サーバと、各々の前記情報ＩＤに対応する情報を受信するか否かを設定するテーブルを備え、前記情報配信サーバから前記ケーブルテレビ情報中継局を介して受信した前記情報フレームの情報ＩＤが受信可の場合には、該情報フレームの情報内容をテレビ受像機に表示または／及び蓄積し、前記情報フレームの情報ＩＤが受信不可の場合には、該情報フレームを廃棄するケーブルテレビホームターミナルとを備えることを特徴とする。
【０００７】
そして、本発明によれば、情報フレームの情報ＩＤによって受信可否を自動的に行うことができるため、ユーザが希望する情報のみをテレビ受像機に表示または／及び蓄積することができる。また、複数のユーザが同一のテレビ受像機を使用していても、ユーザ毎に前記テーブルを設定することにより、各々のユーザの所望する情報のみを閲覧することができる。
【０００８】
前記情報配信システムにおいて、受信した電子メールから情報種別と、該メールの宛先と、情報内容とを取得し、該情報種別に対応する情報ＩＤと、前記メールの宛先に対応する加入者ＩＤと、前記情報内容とで構成されるメールフレームを設定し、該メールフレームを前記ケーブルテレビ情報中継局に送信する情報配信サーバと、前記情報配信サーバから前記ケーブルテレビ情報中継局を介して受信した前記メールフレームの情報ＩＤが受信可の場合には、該メールフレームの情報内容をテレビ受像機に表示または／及び蓄積し、前記情報フレームの情報ＩＤが受信不可の場合には、該メールフレームを廃棄するケーブルテレビホームターミナルとを備えるように構成することができる。これによって、ユーザが希望する電子メールのみをテレビ受像機に表示または／及び蓄積することができる。
【０００９】
また、本発明は、情報配信サーバであって、各々の情報種別に対応する情報ＩＤを記録し、受信した情報から情報種別及び情報内容を取得し、該情報種別に対応する情報ＩＤと前記情報内容とで構成される情報フレームを設定し、該情報フレームをケーブルテレビ情報中継局に送信することを特徴とする。これによって、ケーブルテレビホームターミナル側で、情報フレームの情報ＩＤを用いて情報の受信可否を自動的に行うことができるため、ユーザが希望する情報のみをテレビ受像機に表示または／及び蓄積することができる。
【００１０】
前記情報配信サーバにおいて、受信した電子メールから情報種別と、該メールの宛先と、情報内容とを取得し、該情報種別に対応する情報ＩＤと、前記メールの宛先に対応する加入者ＩＤと、前記情報内容とで構成されるメールフレームを設定し、該メールフレームを前記ケーブルテレビ情報中継局に送信するように構成することができる。これによって、ケーブルテレビホームターミナル側で、メールフレームの情報ＩＤを用いて情報の受信可否を自動的に行うことができるため、ユーザが希望する情報のみをテレビ受像機に表示または／及び蓄積することができる。
【００１１】
また、前記情報配信サーバにおいて、前記メールフレームを前記情報フレームに優先して前記ケーブルテレビ情報中継局に配信するように構成することができる。これによって、ユーザが通常のテレビ映像を見ているときや、蓄積した情報を閲覧している際に受信したメールフレームの情報を画面に表示することが可能となり、メール受信のリアルタイム性を実現することができる。
【００１２】
さらに、本発明は、ケーブルテレビホームターミナルであって、各々の情報種別に対応する情報ＩＤに対応する情報を受信するか否かを設定するテーブルを備え、ケーブルテレビ情報中継局を介して受信した情報フレームの情報ＩＤが受信可の場合には、該情報フレームの情報内容をテレビ受像機に表示または／及び蓄積し、前記情報フレームの情報ＩＤが受信不可の場合には、該情報フレームを廃棄することを特徴とする。これによって、情報フレームの情報ＩＤによって受信可否を自動的に行うことができるため、ユーザが希望する情報のみをテレビ受像機に表示または／及び蓄積することができる。
【００１３】
前記ケーブルテレビホームターミナルにおいて、前記ケーブルテレビ情報中継局を介して受信したメールフレームの情報ＩＤが受信可の場合には、該メールフレームの情報内容をテレビ受像機に表示または／及び蓄積し、前記情報フレームの情報ＩＤが受信不可の場合には、該メールフレームを廃棄するように構成することができる。これによって、ユーザが希望する電子メールのみをテレビ受像機に表示または／及び蓄積することができる。
【００１４】
前記ケーブルテレビホームターミナルにおいて、さらに、各々の前記情報ＩＤに対応する情報の蓄積メディアを設定するテーブルを備え、前記ケーブルテレビ情報中継局を介して受信した前記情報フレームの情報ＩＤに対応する蓄積メディアに情報を蓄積するように構成することができる。これによって、各情報種別毎に自動的に所望の蓄積メディアに情報を蓄積することができる。
【００１５】
前記ケーブルテレビホームターミナルにおいて、さらに、各々の前記情報ＩＤに対応する情報をリアルタイムでテレビ受信機に表示するか、テレビ受信機に表示せずに蓄積するかを設定する表示出力情報設定テーブルを備え、前記ケーブルテレビ情報中継局を介して受信した前記情報フレームの情報ＩＤに対応する情報を該テーブルの設定に応じて表示または蓄積するように構成することができる。これによって、各情報種別毎に自動的に所望の出力表示を行うことができる。
【００１６】
また、本発明は、ケーブルテレビネットワークを用いた情報配信方法であって、ケーブルテレビホームターミナルに予め入手を希望する情報の種類を記録し、ケーブルテレビ情報中継局を介して受信した情報が前記記録した情報の種類に該当する情報の場合には、該情報を該ケーブルテレビホームターミナルに接続されたテレビ受像機に表示または／及び蓄積することを特徴とする。これによって、上述のように、ユーザが希望する情報のみをテレビ受像機に表示または／及び蓄積することができる。
【００１７】
前記ケーブルテレビ情報中継局を介して受信した情報を、ケーブルテレビネットワークを介して該ケーブルテレビ情報中継局に接続された情報配信サーバと、ネットワークを介して該情報配信サーバに接続されたパーソナルコンピュータまたは携帯電話機から配信されるようにすることができる。
【発明の効果】
【００１８】
本発明によれば、ユーザが自己の有益な情報のみを閲覧することができ、複数のユーザが同一のテレビを使用していてもユーザ毎の要求に対応した有益な情報のみを閲覧することも可能で、メール受信のリアルタイム性をも実現可能なケーブルテレビネットワークを用いた情報配信システム等を提供することができる。
【発明を実施するための最良の形態】
【００１９】
図１は、本発明にかかるケーブルテレビを用いた情報配信システム（以下、「情報配信システム」という）の一実施の形態を示し、この情報配信システムは、ケーブルテレビネットワーク８を介して接続されたケーブルテレビ情報中継局（以下、「情報中継局」という）３と接続されたケーブルテレビホームターミナル（以下、「ホームターミナル」という）２及び情報配信サーバ４と、ホームターミナル２に接続されたテレビ受像機１と、インターネット７を介して情報配信サーバ４と接続されたパーソナルコンピュータ（以下、「ＰＣ」という）５及びＳＭＰＴ (Simple Mail Transfer Protocol) サーバ６と、モバイルネットワーク１０及びインターネット７を介して情報配信サーバ４と接続された携帯電話機９とで構成される。
【００２０】
情報配信サーバ４は、図２に示すように、受信したＩＰパケットのデータ部から情報種別及び情報内容を取得し、取得したデータを出力するインターネット通信部３４と、インターネット通信部３４から送信されたデータの情報種別等を情報フレーム構造に設定するインターネットパケット設定部３３と、メール情報を受信してメールパケット設定部３５に送信するＳＭＴＰサーバ通信部３６と、ＳＭＴＰサーバ通信部３６から送信されたメール情報からメールの情報ＩＤ等を取得してメールフレーム構造に設定するメールパケット設定部３５と、インターネットパケット設定部３３またはメールパケット設定部３５から送信されたデータを蓄積するデータ蓄積部３２と、データ蓄積部３２から送信されたデータをアナログ信号に変換するデジタル・アナログ変換モデム部３１と、変換されたアナログ信号をケーブルテレビネットワーク８を経由して情報中継局３に送信する情報配信サーバ通信部３０とで構成される。また、情報配信サーバ４には、図４に示す情報種別に対応する情報ＩＤが記録されている。
【００２１】
ホームターミナル２は、図３に示すように、情報中継局３（図１参照）からのアナログ信号を受信するケーブルテレビネットワーク接続部２４と、ケーブルテレビネットワーク接続部２４からのアナログ信号をデジタル信号に変換してデータ受信部２２に送信するアナログ・デジタル変換モデム部２３と、受信したデータから情報ＩＤ及び情報内容を取得するデータ受信部２２と、情報内容の受信可否を判断するフィルタリング制御部２１と、情報ＩＤを蓄積するメディアを決定し、情報ＩＤ毎にデータを蓄積するメディア制御部２５と、ユーザからの表示要求を受ける出力画像制御部２０と、出力画像制御部２０からの指令により、受信した情報フレーム構造の情報の内容をテレビ受像機１に表示するとともに、ＨＤ２９またはＭＤ／ＣＤ／ＤＶＤ２８に蓄積された情報をテレビ接続部２７を介してテレビ受像機１に出力する情報再生部２６とで構成される。また、ホームターミナル２にも、図４に示す情報種別に対応する情報ＩＤが記録されている。
【００２２】
上記情報フレーム構造は、図５に示すように、情報ＩＤ１１と、情報内容１２で構成される。また、メールフレーム構造は、図６に示すように、情報ＩＤ１３と、加入者ＩＤ１４と、情報内容１５とで構成される。
【００２３】
次に、本発明にかかる情報配信システムの使用要領について、図１乃至図３を中心に参照しながら詳細に説明する。
【００２４】
ユーザは、図１のホームターミナル２に記録されている図７の受信情報設定データ６１に示される情報種別の各々について受信の可否を設定する。例えば、旅館情報を受信しないのであれば、「破棄」を、自動車情報を受信するのであれば、「受信」を選択する。
【００２５】
次に、ユーザは、ホームターミナル２に記録されている図８の蓄積メディア情報７１に示される各情報ＩＤについて、蓄積メディアを設定する。この情報ＩＤは、図４に示した情報種別に対応する。例えば、情報ＩＤ「０００１」は、図４において「メール」に対応するが、メールをＨＤに記録するのであれば、図８の情報ＩＤ「０００１」に対応する蓄積メディアを「ＨＤ」に設定する。
【００２６】
次に、ユーザは、ホームターミナル２に記録されている図９の表示出力情報８１に示される各情報ＩＤについて、表示出力情報を設定する。この情報ＩＤも、図４に示した情報種別に対応する。例えば、情報ＩＤ「０１０２」は、図４において「映画・ビデオ情報」に対応するが、映画・ビデオ情報をリアルタイムで受信するのであれば、図９の情報ＩＤ「０１０２」に対応する表示出力情報を「Real Time」に設定する。
【００２７】
次に、情報配信者が図１のＰＣ５を用い、インターネット７と、情報配信サーバ４と、ケーブルテレビネットワーク８と、情報中継局３と、ホームターミナル２とを経由し、テレビ受像機１に自動車情報を配信する場合について説明する。
【００２８】
ＰＣ５（ＩＰアドレス：１３３．２０６．１．１）は、インターネット７を経由して情報配信サーバ４（ＩＰアドレス：１３３．２０６．１．３）に対して自動車情報を送信するため、図１０の情報種別一覧４１から自動車情報を検索し、Ｎｏ．２の情報種別と、情報内容とをＩＰパケットのデータ部に設定し、情報として送信する。
【００２９】
情報配信サーバ４では、ＰＣ５から送信された情報のＩＰパケットを、図２に示すインターネット通信部３４で受信し、受信したＩＰパケットのデータ部から情報種別及び情報内容を取得し、取得したデータをインターネットパケット設定部３３に送信する。
【００３０】
インターネットパケット設定部３３では、受信したデータの情報種別から、図４に示した情報ＩＤ一覧５１の中の一致した情報ＩＤ（０１０１）に変換し、図５に示した情報フレーム構造の情報ＩＤ１１に設定する。また、受信した情報内容を情報フレーム構造の情報内容１２に設定し、データ蓄積部３２へ送信する。
【００３１】
データ蓄積部３２は、インターネットパケット設定部３３から受信したデータを、ＦＩＦＯ方式によりキュー制御を行い、デジタル・アナログ変換モデム部３１へ送信する。デジタル・アナログ変換モデム３１は、受信したデジタル信号をアナログ信号に変換し、情報配信サーバ通信部３０に送信する。情報通信サーバ通信部３０は、変換されたアナログ信号をケーブルテレビネットワーク８を経由して情報中継局３に送信する。
【００３２】
情報中継局３は、受信した信号をケーブルテレビネットワーク８に接続されている全てのホームターミナル２にアナログ信号として送信する。
【００３３】
情報中継局３からのアナログ信号を受信したホームターミナル２のケーブルテレビネットワーク接続部２４（図３参照）は、受信したアナログ信号をアナログ・デジタル変換モデム部２３に送信する。アナログ・デジタル変換モデム部２３は、受信したアナログ信号をデジタル信号に変換し、データ受信部２２に送信する。
【００３４】
データ受信部２２は、受信したデータから情報ＩＤ１１を取得し、図４に示した情報ＩＤ一覧５１から自動車情報が格納されたデータであると判断するとともに、情報フレーム（図５参照）と判断し、フィルタリング制御部２１に送信する。フィルタリング制御部２１は、情報フレーム構造の情報ＩＤ１１（自動車情報）と、図７の受信情報設定データ６１の受信可否情報を参照し、自動車情報を受信すると判断し、メディア制御部２５に受信した情報フレーム構造の情報ＩＤ１１及び情報内容１２の内容を送信する。
【００３５】
メディア制御部２５は、図８の蓄積メディア情報７１から、情報ＩＤ１１の蓄積するメディアを決定し、情報ＩＤ１１毎にデータを蓄積する。
【００３６】
尚、フィルタリング制御部２１は、情報フレームの情報ＩＤ１１（自動車情報）と、図７の受信情報設定データ６１を参照し、自動車情報を破棄する場合には情報フレームを破棄する。
【００３７】
さらに、フィルタリング制御部２１は、図９の表示出力情報８１を参照し、受信した情報フレーム構造の情報ＩＤ１１（自動車情報）が、「Real Time」と設定されているため、情報再生部２６に受信した情報フレーム構造の情報内容１２の内容をリアルタイムで送信する。情報再生部２６は、受信した情報フレーム構造の情報内容１２の内容をＴＶ映像の一番上に一文ずつ表示していく。
【００３８】
尚、表示出力情報８１を参照し、受信した情報フレーム構造の情報ＩＤ１１（自動車情報）が「Write Only」となっている場合には、情報再生部２６に情報フレーム構造の情報内容１２の内容を送信しない。
【００３９】
ＨＤ２９またはＭＤ／ＣＤ／ＤＶＤ２８に蓄積された情報は、ユーザが出力画像制御部２０に対してテレビ受像機１に表示させる要求を行う。出力画像制御部２０は、メディア制御部２５に対して指定された情報をＨＤ２９またはＭＤ／ＣＤ／ＤＶＤ２８から取得し、情報再生部２６に送信する。情報再生部２６は、受信した情報をテレビ接続部２７に通知し、テレビ受像機１に出力する。
【００４０】
次に、情報提供者が図１の携帯電話機９を用い、モバイルネットワーク１０と、ＳＭＴＰサーバ６と、情報配信サーバ４と、ケーブルテレビネットワーク８と、情報中継局３と、ホームターミナル２とを経由し、テレビ受像機１にメールを送信する場合について説明する。
【００４１】
携帯電話機９は、モバイルネットワーク１０を経由し、ＳＭＴＰサーバ６（ＩＰアドレス：１３３．２０６．１．２）にメールを送信する。
【００４２】
ＳＭＴＰサーバ６は、メールヘッダである宛先の情報からインターネット７を経由し、情報配信サーバ４（ＩＰアドレス：１３３．２０６．１．３）に通知する。
【００４３】
メール情報を受信した情報配信サーバ４のＳＭＴＰサーバ通信部３６（図２参照）は、データをメールパケット設定部３５に送信する。メールパケット設定部３５は、図４の情報ＩＤ一覧５１から、メールの情報ＩＤ（０００１）を取得し、図６のメールフレーム構造の情報ＩＤ１３に設定し、メールの宛先を加入者ＩＤ１４に設定し、メールヘッダ及び本文の情報を情報内容１５に設定し、データ蓄積部３２に送信する。
【００４４】
データ蓄積部３２は、メールパケット設定部３５から受信した信号について、ＬＩＦＯ(Last In First Out)方式によりキュー制御を行い、デジタル・アナログ変換モデム部３１へ送信する。デジタル・アナログ変換モデム部３１では、受信したデジタル信号をアナログ信号に変換し、情報配信サーバ通信部３０に送信する。情報通信サーバ通信部３０は、ケーブルテレビネットワーク８を経由して情報中継局３に送信する。
【００４５】
情報中継局３は、受信した信号をケーブルテレビネットワーク８に接続されている全てのホームターミナル２に送信する。
【００４６】
ホームターミナル２のケーブルテレビネットワーク接続部２４は、情報中継局３からアナログ信号を受信し、アナログ・デジタル変換モデム部２３に送信する。アナログ・デジタル変換モデム部２３は、受信したアナログ信号をデジタル信号に変換し、データ受信部２２に送信する。
【００４７】
データ受信部２２は、情報ＩＤ１３を取得し、図４に示した情報ＩＤ一覧５１からメールと判断し、フィルタリング制御部２１に送信する。メールと通知されたフィルタリング制御部２１は、加入者ＩＤ１４とユーザの契約ＩＤが一致しているか比較し、一致した場合には、メディア制御部２５にメールフレーム構造の情報ＩＤ１３及び情報内容１５の内容を送信する。
【００４８】
メディア制御部２５は、図８の蓄積メディア情報７１から情報ＩＤ１３の蓄積するメディアを決定し、受信したメールフレーム構造の情報内容１５を蓄積する。
【００４９】
また、フィルタリング制御部２１は、図９の表示出力情報８１を参照し、情報ＩＤ１３の表示出力情報が「Real Time」と設定されているため、情報内容１５の内容をリアルタイムで情報再生部２６に送信する。情報再生部２６は、受信した情報内容１５の内容をＴＶ映像の一番上に一文ずつ表示していく。
【００５０】
尚、図９の表示出力情報８１を参照し、情報ＩＤ１３の表示出力情報が「Write Only」の場合には、情報内容１５の内容を情報再生部２６に送信しない。
【００５１】
次に、テレビ受像機１を複数のユーザが使用し、フィルタリング制御部２１のフィルタリング情報がユーザ毎に設定され、情報提供者が図１のＰＣ５を用い、インターネット７と、情報配信サーバ４と、ケーブルテレビネットワーク８と、情報中継局３と、ホームターミナル２とを経由し、テレビ受像機１に自動車情報を配信する場合について説明する。
【００５２】
ＰＣ５（ＩＰアドレス：１３３．２０６．１．１）は、インターネット７を経由して情報配信サーバ４（ＩＰアドレス：１３３．２０６．１．３）に対して自動車情報を送信するため、図１０の情報種別一覧４１から自動車情報を検索し、Ｎｏ．２の情報種別と、情報内容をＩＰパケットのデータ部に設定し、情報として送信する。
【００５３】
情報配信サーバ４では、ＰＣ５から送信された情報のＩＰパケットを情報配信サーバ４のインターネット通信部３２が受け付け、受信したＩＰパケットのデータ部から情報種別及び情報内容を取得し、取得したデータをインターネットパケット設定部３３に送信する。
【００５４】
インターネットパケット設定部３３では、受信したデータの情報種別から、図４の情報ＩＤ一覧５１に一致した情報ＩＤ（０１０１）に変換し、情報フレーム構造の情報ＩＤ１１に設定する。また、受信した情報内容を情報内容１２に設定し、データ蓄積部３２へ送信する。
【００５５】
データ蓄積部３２は、インターネットパケット設定部３３から受信した信号をＦＩＦＯ方式によりキュー制御を行い、デジタル・アナログ変換モデム部３１へ送信する。デジタル・アナログ変換モデム部３１では、受信したデジタル信号をアナログ信号に変換し、情報配信サーバ通信部３０に送信する。情報通信サーバ通信部３０は、ケーブルテレビネットワーク８を経由し、同情報を情報中継局３に送信する。
【００５６】
情報中継局３は、受信した信号をケーブルテレビネットワーク８に接続されている全てのホームターミナル２に送信する。
【００５７】
ホームターミナル２のケーブルテレビネットワーク接続部２４（図３参照）は、情報中継局３からアナログ信号を受信し、アナログ・デジタル変換モデム部２３に送信する。アナログ・デジタル変換モデム部２３は、受信したアナログ信号をデジタル信号に変換し、データ受信部２２に送信する。
【００５８】
データ受信部２２は、受信したデータから情報ＩＤ１１（図５参照）を取得し、情報ＩＤ一覧５１から自動車情報が格納されたデータであると判断するとともに、情報フレームと判断し、フィルタリング制御部２１に送信する。フィルタリング制御部２１は、複数のフィルタリング情報が設定されているため、ユーザ毎に登録されている受信情報設定データ６１（図７参照）の受信可否情報から情報フレームの情報ＩＤ１１（自動車情報）を参照し、自動車情報を受信すると判断し、メディア制御部２５に受信した情報フレーム構造の情報ＩＤ１１及び情報内容１２を送信する。
【００５９】
メディア制御部２５は、図８の蓄積メディア情報７１から情報ＩＤ１１の蓄積するメディアを決定し、情報ＩＤ１１毎に受信したデータを蓄積する。
【００６０】
尚、フィルタリング制御部２１は、情報フレームの情報ＩＤ１１（自動車情報）と、図７の受信情報設定データ６１を参照し、「破棄」の場合には、情報フレームを破棄する。
【００６１】
ユーザ毎に蓄積された情報は、ユーザが設定したフィルタを指定して出力画像制御部２０に対してテレビ受像機１に表示させる要求を行う。
【００６２】
出力画像制御部２０は、メディア制御部２５に指定された情報をＨＤ２９またはＭＤ／ＣＤ／ＤＶＤ２８から取得し、情報再生部２６に送信する。情報再生部２６は、受信した情報をテレビ接続部２７に通知し、テレビ受像機１に対して情報を出力させる。
【図面の簡単な説明】
【００６３】
【図１】本発明にかかる情報配信システムの全体構成図である。
【図２】本発明にかかる情報配信システムの情報配信サーバの構成を示すブロック図である。
【図３】本発明にかかる情報配信システムのホームターミナルの構成を示すブロック図である。
【図４】本発明にかかる情報配信システムで用いる情報ＩＤ一覧を示す図である。
【図５】本発明にかかる情報配信システムで用いる情報フレーム構造を示す図である。
【図６】本発明にかかる情報配信システムで用いるメールフレーム構造を示す図である。
【図７】本発明にかかる情報配信システムで用いる受信情報設定データを示す図である。
【図８】本発明にかかる情報配信システムで用いる蓄積メディア情報を示す図である。
【図９】本発明にかかる情報配信システムで用いる表示出力情報を示す図である。
【図１０】本発明にかかる情報配信システムで用いる情報種別一覧を示す図である。
【符号の説明】
【００６４】
１      テレビ受像機
２      ホームターミナル
３      情報中継局
４      情報配信サーバ
５      ＰＣ
６      ＳＭＴＰサーバ
７      インターネット
８      ケーブルテレビネットワーク
９      携帯電話機
１０    モバイルネットワーク
１１    情報ＩＤ
１２    情報内容
１３    情報ＩＤ
１４    加入者ＩＤ
１５    情報内容
２０    出力画像制御部
２１    フィルタリング制御部
２２    データ受信部
２３    アナログ・デジタル変換モデム部
２４    ケーブルテレビネットワーク接続部
２５    メディア制御部
２６    情報再生部
２７    テレビ接続部
２８    ＭＤ／ＣＤ／ＤＶＤ
２９    ＨＤ
３０    情報配信サーバ通信部
３１    デジタル・アナログ変換モデム部
３２    データ蓄積部
３３    インターネットパケット設定部
３４    インターネット通信部
３５    メールパケット設定部
３６    ＳＭＴＰサーバ通信部
４１    情報種別一覧
５１    情報ＩＤ一覧
６１    受信情報設定データ
７１    蓄積メディア情報
８１    表示出力情報
【図１】
2005311492.tif 000003
【図２】
2005311492.tif 000004
【図３】
2005311492.tif 000005
【図４】
2005311492.tif 000006
【図５】
2005311492.tif 000007
【図６】
2005311492.tif 000008
【図７】
2005311492.tif 000009
【図８】
2005311492.tif 000010
【図９】
2005311492.tif 000011
【図１０】
2005311492.tif 000012